(57)【要約】      （修正有）【課題】低コストで安定的に大量生産可能である上、用紙１枚のものは勿論、複数枚重ねのものであっても、丸めたり広げたりした場合に皺や折り目、破れなどを生じてしまうことがない縁取り用紙と縁取りカレンダーを提供する。【解決手段】縁取り用紙１は、一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁２を形成する。縁取りカレンダー１１は、縁取り用紙１に、１２ヶ月分の暦を表示する暦印刷表示部４とを印刷してなる。【選択図】図１
0003159800.tif 000002
【実用新案登録請求の範囲】
【請求項１】
一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成してなるものとしたことを特徴とする縁取り用紙。
【請求項２】
一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成した縁取り用紙に、１２ヶ月分の暦を印刷表示してなるものとしたことを特徴とする縁取りカレンダー。
【請求項３】
一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成した縁取り用紙の複数枚に、夫々１ヶ月ずつ、または１日ずつの暦を印刷表示して、１２月または１２月末日を後尾とし、１月または１月元日を先頭がわとするよう束ね、先頭がわから１枚ずつ順次、切除可能としてなるものとしたことを特徴とする縁取りカレンダー。                                                                      
【考案の詳細な説明】
【技術分野】
【０００１】
この考案は、カレンダーなど丸めての取扱いがなされることの多い、比較的大判の印刷用紙に関連するものであり、それらを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                          
【背景技術】
【０００２】
（着目点）
カレンダー用の紙は、印刷仕上がりの良いコート紙やマット紙または上質紙などが広く使用されているが、こうした紙質は、特に大判のカレンダーなどを製造する場合、折り畳まずに円筒状に丸めて筒状樹脂フィルムに入れて出荷する場合など、筒状に丸める作業中に折り目が付いてしまったり、その折り目から破けてしまったりすることがある外、紙製品では一般的に起こり得ることであるが、縁で手指に切り傷を負ってしまう虞があるなどの課題を抱えながら、未だに有効な解決手段が図られないままに推移してきている。
【０００３】
（従来の技術）
こうした状況を憂慮し、例えば、下記の特許文献１（１）に提案されているものに代表されるように、合成樹脂製袋の熱熔着縁部に凹凸の縁取りを形成し、滑り止めとすると共に、熱熔着縁部に柔軟性を持たせて裂傷を防止可能としたものや、同特許文献１（２）に見られるような、ティッシュペーパーの周縁にエンボス加工による縁取りを形成し、皺や折り目の発生を防止したもの、また、特許文献１（３）に示すもののように、開口縁を波形に形成し、装飾性を高めた紙袋、あるいは、例えば、特許文献１（４）のように、装飾テープで縁取りして中身を見や易くしたクスリカレンダーなどが散見される。
【０００４】
しかし、前者特許文献１（１）に示されているような合成樹脂製袋の縁取りは、袋を把持したときの滑り止めや裂傷の防止を目的とするものであり、熱熔着を行わないカレンダーおよびそれ用の用紙類には、そのまま利用できないとう欠点があり、特許文献１（２）のティッシュペーパーのエンボス加工による縁取りは、紙類の周縁部分の補強に有効ではあるものの、カレンダーの丸め易さを低下させてしまうという弊害を生じるものであり、特許文献１（３）に代表する開口縁を波形に形成した紙袋は、装飾性を高めるものとしては有効ではあっても、そのままカレンダーなどに応用できるものではなく、さらにまた、特許文献１（４）のように装飾テープで縁取りしたクスリカレンダーなどは、縁取りの装飾や補強に有効であるとしても、やはり均質に丸め難くなってしまうという難点を伴うものでしかなかった。                                                                          
【特許文献１】（１）特開２０００−１７７７４７号公報    （２）特開２００１−３７６６６号公報    （３）実用新案登録第３０２１３６７号公報    （４）実用新案登録第３０６８６６６号公報
【考案の開示】
【考案が解決しようとする課題】
【０００５】
（問題意識）
上述してきたとおり、従前までに提案のある適所に縁取りが施された各種紙製品や樹脂フィルム製品などは、何れもカレンダーなどの製造に基本的に不要な熱熔着やエンボス加工、装飾テープの貼着が必要となり、製造コストを高めてしまうばかりでなく、縁取り部分の強度を高めて反って皺や折り目が発生し易いものとなってしまう虞があり、また、複数枚の紙を重ねて束ねたカレンダーは、１枚の場合よりも全体剛性が高くなって筒状に丸めるのが一層困難なものとなってしまうなど、印刷用紙業界や印刷業界にとっては、低コストで安定的に大量生産可能である上、丸めたり広げたりした場合にも皺や折り目が生じることがなく、さらに、でき得るならば、不用意に縁に接してしまった手指などに、不測の裂傷を与える心配の起き得ることもないよう配慮したカレンダーの類いの紙製品を、早期の中に実現すべきものと云える。
【０００６】
（考案の目的）
そこで、この考案は、低コストで安定的に大量生産可能である上、用紙１枚のものは勿論、複数枚重ねのものであっても、丸めたり広げたりした場合に皺や折り目、破れなどを生じてしまうことがない新たな用紙技術の開発はできないものかとの判断から、逸速くその開発、研究に着手し、長期に渡る試行錯誤と幾多の試作、実験とを繰り返してきた結果、今回、遂に新規な構造の縁取り用紙、およびそれを利用した新規な構造の縁取りカレンダーを実現化することに成功したものであり、以下では、図面に示すこの考案を代表する実施例と共に、その構成を詳述することとする。                                                                          
【課題を解決するための手段】
【０００７】
（考案の構成）
図面に示すこの考案を代表する実施例からも明確に理解されるように、この考案の縁取り用紙は、基本的に次のような構成から成り立っている。
即ち、一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成してなるものとした構成を要旨とする縁取り用紙である。
【０００８】
（関連する考案）
上記した縁取り用紙に関連し、この考案には、それを利用した縁取りカレンダーも包含している。
即ち、一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成した縁取り用紙に、１２ヶ月分の暦を印刷表示してなるものとした、この考案の基本をなす前記縁取り用紙を利用した縁取りカレンダーである。
【０００９】
この縁取りカレンダーを、表現を変えて示すと、一枚毎の搬送または陳列の際に丸めての筒状取扱いを有利とするような大きさの１枚の紙であって、対向する一対の外周縁か、または外周縁全周かの何れか縁部分に、鋸刃形、波形、連続円弧形、連続台形、箱型形など凹凸形の何れか単独形による連続凹凸パターンとして丸め込み変形助勢用の裁断加工縁を形成した縁取り用紙の複数枚に、夫々１ヶ月ずつ、または１日ずつの暦を印刷表示して、１２月または１２月末日を後尾とし、１月または１月元日を先頭がわとするよう束ね、先頭がわから１枚ずつ順次、切除可能としてなるものとした、この考案の基本をなす前記縁取り用紙を利用した縁取りカレンダーということができる。                                                            
【考案の効果】
【００１０】
以上のとおり、この考案の縁取り用紙によれば、従前までのものとは違い、上記したとおりの固有の特徴ある構成から、一枚毎の搬送または陳列の際に丸めての筒状取扱いを有利とするような大きさの１枚の紙であって、対向する一対の外周縁か、または外周縁全周かの何れか縁部分に、凹凸形の何れか単独形による連続凹凸パターンとした裁断加工縁を形成してなるものとしてあり、筒状に丸め込む力を、その丸め込み方向に沿う外周縁の一点に集中させることなく、均質に分散可能となり、皺や折り目、それらを基点とするような破れなどの発生を確実に防止することができ、格段に不良率を低減して、一段と高い歩留まりを達成可能とするものになる。
【００１１】
特に、当該縁取り用紙に１２ヶ月分の暦を印刷表示してなるものとした縁取りカレンダーは、円筒状に丸めて筒状の合成樹脂フィルムに挿入したり、粘着テープで留めたりして展開しないよう抑え、そのまま住基などに立てて店頭に陳列できる荷姿で出荷することが多いが、こうした梱包作業中に、筒状に丸めたカレンダーに皺が寄ったり、折り目が生じたり、破けてしまったりするのを確実に防止できるものとなり、生産効率を格段に高めることができるという効果を発揮できる。
【００１２】
加えて、当該縁取り用紙の複数枚に、夫々１ヶ月ずつ、または１日ずつの暦を印刷表示して束ね、先頭がわから１枚ずつ順次、切除可能としてなる縁取りカレンダーは、各縁取り用紙の裁断加工縁が、当該縁取りカレンダー全体の柔軟性を高めて筒状に丸め易くすることができる上、皺や折り目、破け等を格段に確実に防止できるものになるという大きな効果を奏するものとなる。                                                                                            
【考案を実施するための最良の形態】
【００１３】
上記したとおりの構成からなるこの考案の実施に際し、その最良もしくは望ましい形態について説明を加えることにする。
縁取り用紙である１枚の紙は、筒状に丸めて取り扱われるシート状のものということができ、例えば、コート紙やマット紙または上質紙などとすることができる外、それらの用紙類の表面または裏面に樹脂皮膜や金属皮膜などを形成してなるものとすることができる外、合成樹脂フィルムや金属箔などに置き換え可能である。
【００１４】
裁断加工縁は、縁取り用紙を筒状に丸めるときに、同縁取り用紙の外周縁の一部に応力が集中してしまい、そこから皺や折り目、破れなどを発生するのを防止可能とする機能を担うものであり、用紙を丸めていく最中に、その外周縁に受ける力に強弱が出で円滑な丸め込みができなくなってしまうのを防止するよう、１枚の紙の対向する一対の外周縁か、または外周縁全周かの何れか縁部分に、鋸刃形、波形、連続円弧形、連続台形、箱型形など凹凸形の何れか単独形による連続凹凸パターンとして形成し、外周縁に沿って同一形状の凹凸が均等に配列するよう形成したものとしなければならない。
【００１５】
縁取りカレンダーは、当該縁取り用紙が有している利点をカレンダーに応用したものであり、後述する実施例に示すように、当該縁取り用紙の１枚に１２ヶ月分の暦を印刷表示してなるものや、当該縁取り用紙の複数枚に、夫々１ヶ月ずつ、または１日ずつの暦を印刷表示して、１２月または１２月末日を後尾とし、１月または１月元日を先頭がわとするよう束ね、先頭がわから１枚ずつ順次切除可能としてなるものなどとすることができ、目的・用途や外観形状が類似することとなるポスターや広告紙などにも適用することが可能であることは云うまでもない。
以下では、図面に示すこの考案を代表する実施例と共に、その構造について詳述することとする。                                                                                                            
【実施例１】
【００１６】
図１の縁取りカレンダーの正面図、図２の波形裁断加工縁を施した縁取りカレンダーの正面図、図３の連続円弧形裁断加工縁を施した縁取りカレンダーの正面図、および、図４の箱型形裁断加工縁を施した縁取りカレンダーの正面図に示す事例は、１枚の縁取り用紙１に、１２ヶ月分の暦を印刷表示してなるものとした、この考案の縁取りカレンダー１１における代表的な一実施例を示すものである。
【００１７】
図１に示すように、当該縁取りカレンダー１１は、Ａ４切（約４３７×３０５ｍｍ）ないしＢ２切（約７６５×５１５ｍｍ）、またはＢ１６切（約４５０×１３０ｍｍ）ないしＢ６切（約３８０×３５５ｍｍ）などの各種用紙サイズの何れかの１枚の光沢紙１の外周縁四辺全周縁部分に、鋸刃形単独形による連続凹凸パターンからなる裁断加工縁２を形成して縁取り用紙１を形成した上、その表面上部に装飾用となる風景画類や各種写真類などの画像印刷表示部３を形成し、同表面下部に１２ヶ月分の暦印刷表示部４を形成してなるものとしてある。
【００１８】
裁断加工縁２は、図２に示すように、波形単独形による連続凹凸パターンからなるものとすることができる外、図３に示すように、連続円弧形単独形による連続凹凸パターンからなるものや、図４に示すように、箱型形単独形による連続凹凸パターンからなるものなどとすることができる。                                                                                                
【実施例２】
【００１９】
図５の１ヶ月ずつ表示した複数枚を束ねてなる縁取りカレンダーの斜視図に示す事例は、縁取り用紙１の複数枚夫々に１ヶ月ずつの暦を印刷表示して束ねたものとしてなる、この考案の縁取りカレンダー１１における代表的な他の一実施例を示すものである。
【００２０】
当該縁取りカレンダー１１は、何れかのサイズのマット紙１の複数枚夫々の、各上端縁を除く左右縁よび下端縁の各外周縁三辺周縁部分に、鋸刃形単独形によるものとした連続凹凸パターンからなる裁断加工縁２を形成して縁取り用紙１を形成した上、各表面上部に、月毎に、例えば季節感の異なる風景画や写真などの画像印刷表示部３を形成し、各表面下部に１ヶ月分毎の暦印刷表示部４を夫々形成するようにしてあって、１２月を後尾とし、１月を先頭がわとするように、重ねて上端縁を吊り金具５で結合してなるものとしてある。
裁断加工縁２は、前記実施例１と同様に、様々な単独形による連続凹凸パターンのものに変更することができる。
【００２１】
（実施例１の作用・効果）
以上のとおりの構成からなるこの考案の縁取りカレンダー１１は、図１ないし図４中に示すように、１枚の縁取り用紙１の外周縁全周に各種単独形による連続凹凸パターンからなる裁断加工縁２を形成してあることから、製造工場などにおける梱包作業で筒状に丸めるときに、外周縁の何処か一点に応力が集中して折れ目や皺などが入ってしまう弊害を防止して均質に分散するものとなるから、それら皺や折り目に起因する破れなどの発生を確実に防止できるものとなり、しかも、何かの拍子に不用意に外周縁に手指が触れたとしても不測の裂傷を来す虞などは一切なく、格段に効率的な包装作業を実現化することができるという特徴が得られる。
【００２２】
（実施例２の作用・効果）
図５に示すように、１ヶ月分毎の暦印刷表示部４を夫々形成してなる縁取り用紙１の複数枚を束ねてなるこの考案の縁取りカレンダー１１は、前記実施例１の作業・効果と同様に、筒状に丸めて包装する作業の効率を格段に高めることができると共に、皺や折り目および破れなどの発生を確実に防止することができる上、先頭がわの１枚ずつを切除して次月の表示を露出させる場合など、縁取り用紙１をめくったり、切除して折り畳んだり、筒状に丸めたりして処理する場合などの取扱い作業性を大いに高めることができ、しかも前記実施例同様に、その際の作業過程においても、手指への裂傷の危険性を確実に防止できるものとなる。
【００２３】
（結  び）
叙述の如く、この考案の縁取り用紙、およびそれを利用した縁取りカレンダーは、その新規な構成によって所期の目的を遍く達成可能とするものであり、しかも、製造も容易であって、従前からの紙製品類や樹脂フィルム製品類などの各種の縁取り技術に比較して製造コストを大幅に削減し、遥かに経済的なものとすることができる上、特に包装工程の作業効率を格段に高めて不良率を大巾に削減し、秀れた生産効率を達成して低廉化することができることから、カレンダーやポスター類などといった大量の用紙類を各々筒状に丸めて梱包、出荷しなければならない印刷業界は固よりのこと、こうした印刷業界に各種用紙類を納入する印刷用紙業界にとって朗報となり、さらに、カレンダーやポスター類を購入、利用する各企業や一般家庭においても安全性や美観上などからも高く評価され、広範に渡って利用、普及していくものになると予想される。                                                      
【図面の簡単な説明】
【００２４】
図面は、この考案の縁取り用紙、およびそれを利用した縁取りカレンダーの技術的思想を具現化した代表的な幾つかの実施例を示すものである。
【図１】鋸刃形裁断加工縁を施した縁取りカレンダーを示す正面図である。
【図２】波形裁断加工縁を施した縁取りカレンダーを示す正面図である。
【図３】連続円弧形裁断加工縁を施した縁取りカレンダーを示す正面図である。
【図４】箱型形裁断加工縁を施した縁取りカレンダーを示す正面図である。
【図５】複数枚を束ねてなる縁取りカレンダーを示す斜視図である。
【符号の説明】
【００２５】
１      縁取り用紙
１１    同  縁取りカレンダー
２      裁断加工縁
３      画像印刷表示部
４      暦印刷表示部
５      吊り金具                                                                                                
【図１】
0003159800.tif 000003
【図２】
0003159800.tif 000004
【図３】
0003159800.tif 000005
【図４】
0003159800.tif 000006
【図５】
0003159800.tif 000007